(57)【要約】      （修正有）【課題】カラオケ利用者の歌唱を動画撮影して歌唱者に提供できるカラオケ装置及びカラオケ歌唱映像データ編集プログラムを提供する。【解決手段】編集手段３２において、歌唱採点値と映像のズーム率とが関連付けられたズームテーブル７３を備え、動画撮影カメラより歌唱映像取得手段が取得した歌唱映像データに対して顔領域認識手段７１が歌唱者の顔領域を認識し、ズーム処理手段７２が、楽曲の歌唱区間毎に、採点手段で採点した当該歌唱区間毎の採点値に応じて上記ズームテーブルに基づき歌唱者の認識された顔領域を対応倍率で編集して歌唱動画を作成する。【選択図】図２
2015155973.tif 000002
【特許請求の範囲】
【請求項１】
カラオケルームに設置され、利用者の歌唱を撮影する動画撮影カメラを備えるカラオケ装置であって、
前記動画撮影カメラからの歌唱映像データを取得する歌唱映像取得手段と、
楽曲歌唱に対して楽曲の所定の歌唱区間毎に歌唱音声を分析して採点する採点手段と、
前記歌唱映像取得手段が取得した歌唱映像データを、楽曲の歌唱区間毎に、前記採点手段で採点した当該歌唱区間毎の採点値に応じて歌唱者を対応倍率で編集して歌唱動画を作成する編集手段と、
を有することを特徴とするカラオケ装置。
【請求項２】
請求項１記載のカラオケ装置であって、前記編集手段は、前記歌唱映像データにおいて歌唱者の顔領域を認識し、当該顔領域を前記対応倍率で編集することを特徴とするカラオケ装置。
【請求項３】
請求項１又は２記載のカラオケ装置であって、前記編集手段は、前記採点値との対応倍率を、歌唱区間の採点値が高いほど高倍率とするズームテーブルを備えることを特徴とするカラオケ装置。
【請求項４】
請求項１〜３の何れかに記載のカラオケ装置であって、
楽曲毎に、楽曲演奏の際に表示する背景映像データを備え、
前記編集手段は、前記歌唱区間毎に、前記採点手段による採点値が所定値を下回った場合に、前記歌唱映像データの対応歌唱区間を当該楽曲の前記背景映像データにおける対応区間の映像に置き換えることを特徴とするカラオケ装置。
【請求項５】
カラオケ装置の備える採点手段による楽曲の歌唱区間毎の歌唱採点値データ及び動画撮影カメラによるカラオケ利用者の歌唱を撮影した歌唱映像データに基づいて、当該歌唱映像データを、歌唱採点値とズーム率が関連付けられたズームテーブルに基づき歌唱区間毎に編集するカラオケ歌唱映像データ編集プログラムであって、
前記歌唱区間毎の歌唱採点値及び動画撮影カメラで撮影された歌唱映像データを取得するステップと、
取得した歌唱映像データから歌唱者の顔領域を認識するステップと、
楽曲の歌唱区間毎に、前記取得した歌唱区間毎の採点値に応じて前記ズームテーブルに基づき歌唱者の認識された顔領域を対応倍率で編集して歌唱動画を作成するステップと、
を含むことを特徴とするカラオケ歌唱映像データ編集プログラム。
【請求項６】
請求項５記載のカラオケ歌唱映像データ編集プログラムであって、
対応楽曲の演奏の際に表示される背景映像データを取得し、
前記歌唱動画を作成する際に、歌唱区間毎に、前記取得した採点値が所定値を下回った場合に、前記歌唱映像データの対応歌唱区間を当該楽曲の前記背景映像データにおける対応区間の映像に置き換えることを特徴とするカラオケ歌唱映像データ編集プログラム。
【発明の詳細な説明】
【技術分野】
【０００１】
本発明は、カラオケ利用者の歌唱を動画撮影して歌唱者に提供するカラオケ装置及びカラオケ歌唱映像データ編集プログラムに関する。
【背景技術】
【０００２】
近年、カラオケルームにおいて利用者の歌唱を録音・録画して歌唱者に提供するサービスが一般化し、利用者はその動画データを第三者に閲覧してもらうという楽しみ方が普及してきている。このような場合に利用者に対してより満足度の高い歌唱動画を提供することが望まれる。
【０００３】
従来、カラオケ利用者に歌唱時の動画を提供する種々の技術が知られている。例えば、特許文献１では、利用者がカラオケルームで撮影した歌唱動画をサーバにアップロードする際に最適なサムネイル画像を得るための技術が開示されている。また、特許文献２では、カラオケ歌唱の歌唱区間毎に、その採点結果に応じて背景映像に代わる割り込み映像データを表示させる技術が開示されている。さらに、特許文献３では、カラオケルームに設置されたデジタルビデオカメラで撮影された歌唱映像とルーム内で携帯電話機を用いて撮影された映像とを合成して、背景画像として表示したり動画データとして投稿したりする技術と共に、歌唱の採点結果や楽曲の盛り上がり判定結果に基づいた時間位置で合成する技術が開示されている。
【先行技術文献】
【特許文献】
【０００４】
【特許文献１】特開２０１２−０２７３４０号公報
【特許文献２】特開２０１１−２１５１９６号公報
【特許文献３】特開２０１３−２１０４６４号公報
【発明の概要】
【発明が解決しようとする課題】
【０００５】
ところで、歌唱動画の投稿を楽しむ利用者が、より出来の良い歌唱動画を撮影して投稿したいと考えるのは自然である。そのような利用者は、歌唱に集中できるよう一人でカラオケルームに入室し、リハーサルを経て満を持して自分の歌唱動画を撮影しようとすることが多い。しかしながら、特許文献１の技術では、ルーム内の撮影カメラはある程度のロングショットで利用者を狙って固定するしかなく、歌唱や振り付けが納得できる出来栄えだったとしても、単調な歌唱動画しか得られないという問題がある。
【０００６】
また、特許文献２の技術は、歌唱者の歌唱映像とは無関係な予め用意されたアニメーション等がインサートされただけの編集映像であり、背景映像のバリエーションとして楽しむことはできても、より出来の良い歌唱動画を撮影して投稿したいという利用者の要望に応えられるものではない。
【０００７】
さらに、特許文献３の技術は、歌唱者以外に携帯電話機を操作する第三者の存在を前提としており、一人で集中して歌唱し、より出来の良い歌唱動画を作成したいという要望に応えられるものでなく、換言すると、この技術を用いても、第三者の携帯電話機により何がどのような構図で撮影されているかに関係なく、適切と判定された時間的位置で、当該携帯電話機の撮影映像とカラオケルームに設置されたデジタルビデオカメラの撮影映像とを合成するだけである。
【０００８】
そこで、本発明は上記課題に鑑みなされたもので、カラオケ利用者の歌唱撮影のカメラ設定を簡易化して高度に編集した映像をウェブサーバに投稿可能とするカラオケ装置及びカラオケ歌唱映像データ編集プログラムを提供することを目的とする。
【課題を解決するための手段】
【０００９】
上記課題を解決するために、請求項１の発明では、カラオケルームに設置され、利用者の歌唱を撮影する動画撮影カメラを備えるカラオケ装置であって、前記動画撮影カメラからの歌唱映像データを取得する歌唱映像取得手段と、楽曲歌唱に対して楽曲の所定の歌唱区間毎に歌唱音声を分析して採点する採点手段と、前記歌唱映像取得手段が取得した歌唱映像データを、楽曲の歌唱区間毎に、前記採点手段で採点した当該歌唱区間毎の採点値に応じて歌唱者を対応倍率で編集して歌唱動画を作成する編集手段と、を有する構成とする。
【００１０】
請求項２〜４の発明は、「前記編集手段は、前記歌唱映像データにおいて歌唱者の顔領域を認識し、当該顔領域を前記対応倍率で編集する」構成であり、
「前記編集手段は、前記採点値との対応倍率を、歌唱区間の採点値が高いほど高倍率とするズームテーブルを備える」構成であり、
「楽曲毎に、楽曲演奏の際に表示する背景映像データを備え、前記編集手段は、前記歌唱区間毎に、前記採点手段による採点値が所定値を下回った場合に、前記歌唱映像データの対応歌唱区間を当該楽曲の前記背景映像データにおける対応区間の映像に置き換える」構成である。
【００１１】
請求項５の発明では、カラオケ装置の備える採点手段による楽曲の歌唱区間毎の歌唱採点値データ及び動画撮影カメラによるカラオケ利用者の歌唱を撮影した歌唱映像データに基づいて、当該歌唱映像データを、歌唱採点値とズーム率が関連付けられたズームテーブルに基づき歌唱区間毎に編集するカラオケ歌唱映像データ編集プログラムであって、前記歌唱区間毎の歌唱採点値及び動画撮影カメラで撮影された歌唱映像データを取得するステップと、取得した歌唱映像データから歌唱者の顔領域を認識するステップと、楽曲の歌唱区間毎に、前記取得した歌唱区間毎の採点値に応じて前記ズームテーブルに基づき歌唱者の認識された顔領域を対応倍率で編集して歌唱動画を作成するステップと、を含む構成とする。
【００１２】
請求項６の発明は、対応楽曲の演奏の際に表示される背景映像データを取得し、前記歌唱動画を作成する際に、歌唱区間毎に、前記取得した採点値が所定値を下回った場合に、前記歌唱映像データの対応歌唱区間を当該楽曲の前記背景映像データにおける対応区間の映像に置き換える構成である。
【発明の効果】
【００１３】
本発明によれば、動画撮影カメラより取得した歌唱映像データを、楽曲の歌唱区間毎に、採点手段で採点した当該歌唱区間毎の採点値に応じて歌唱者、例えば認識処理した顔領域を対応倍率で編集して歌唱動画を作成する構成とすることにより、カラオケ利用者の歌唱撮影のカメラ設定を簡易化して高度に編集した映像をウェブサーバに投稿させることができ、利用者の満足度を向上させることができるものである。
【図面の簡単な説明】
【００１４】
【図１】本発明に係るカラオケ装置のブロック構成図である。
【図２】図１の編集手段の構成説明図である。
【図３】図１の楽曲選曲の説明図である。
【図４】図１の編集手段における動画編集処理の説明図である。
【図５】図１の編集手段における動画編集処理のフローチャートである。
【図６】作成した編集動画の提供に関する表示説明図である。
【発明を実施するための形態】
【００１５】
以下、本発明の実施形態を図により説明する。
図１に本発明に係るカラオケ装置のブロック構成図を示すと共に、図２に図１の編集手段の構成説明図を示す。図１において、カラオケ装置１１は、主要装置としてのカラオケ本体１２に、有線又は無線で外部接続されるものとして、表示部１３、ミキシングアンプ１４、マイク１５、スピーカ１６、遠隔入出力装置１７、動画撮影カメラ１８が接続される。
【００１６】
上記表示部１３は、通常の楽曲選曲表示やカラオケ演奏時の背景映像等を表示するもので、例えば液晶ディスプレイ（ＬＣＤ）、プラズマディスプレイ（ＰＤＰ）、その他種々のディスプレイを採用することができる。上記ミキシングアンプ１４は、カラオケ本体１２より送られてくる音楽演奏信号に、マイク１５からの音声信号をミキシングし、増幅してスピーカ１６より出力する。また、ミキシングアンプ１４は、マイク１５からの音声信号をスルーさせた出力端子が設けられ、当該出力端子は後述のカラオケ本体１２のＡ／Ｄ変換部（２９）に接続される。
【００１７】
上記遠隔入出力装置１７は、図示しない端末送受信部により、カラオケ本体１２に対して有線方式ないし無線方式（ＩＲ方式やブルートゥース（登録商標）機構のピコネット接続方式など）を利用してデータ授受を行うためのもので、少なくとも選曲楽曲登録手段１７Ａを適宜備えると共に、表示部１７Ｂ及び表示制御部１７Ｃを備える。この選曲楽曲登録手段１７Ａは表示部１７Ｂ上で楽曲を検索させ、選曲させるテーブルを備えるプログラムであり、選曲された楽曲は、後述のカラオケ本体１２における予約待ち行列（４１）に登録される。なお、選曲画面については図３（Ａ）で説明する。
【００１８】
また、遠隔入出力装置１７の表示部１７Ｂは、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。表示制御部１７Ｃは、表示部１７Ｂにおける選曲画面等の他に種々の表示を制御するもので、ここでは、特に後述の編集手段（３２）で編集された編集動画データを再生表示させるものとして示している。
【００１９】
上記動画撮影カメラ１８は、カラオケルーム内で利用者が歌唱するステージ全体を撮影可能に設置され、歌唱者の歌唱を録音すると共に、当該歌唱状態を録画し、歌唱映像データとして出力可能なデジタルビデオカメラである。なお、本発明では、利用者によるカメラ設定を、ステージ全体をカバーできる範囲で設定するのみでよい。
【００２０】
上記カラオケ本体１２は、バス２０、中央制御部２１、ＲＯＭ２２、ＲＡＭ２３、映像表示制御手段２４、音楽演奏制御部２５、音源（シンセサイザ）２６、送受信部２７Ａ，２７Ｂ、採点手段２８、Ａ／Ｄ変換部２９、記憶部３０、歌唱映像取得手段３１、編集手段３２及び歌唱動画再生手段３３を備える。上記ＲＡＭ２３には予約待ち行列４１、歌唱映像データ４２、採点データ４３及び編集動画データ４４の記憶領域が形成され、記憶部３０には、楽曲ＤＢ５１及び映像ＤＢ５２が記憶される。なお、上記各構成について、本発明の要旨と直接関連しない要素部分であっても、従前のカラオケシステムにおいても大部分が適用可能であることを示すために、構成要素の全体を説明する。
【００２１】
上記中央制御部２１は、このシステムを統括的に処理制御する物理的なＣＰＵであり、ＲＯＭ２２に記憶されているプログラムに基づくアルゴリズム処理を行う。上記ＲＡＭ２３は、予約待ち行列４１、利用者情報４２及び利用者歌唱調整値情報４３の記憶領域が形成される他に、上記種々のプログラムを展開、実行させるための作業領域としての役割をなすもので、例えば半導体メモリで構成され、仮想的にハードディスク上に構築される場合をも含む概念である。
【００２２】
上記映像表示制御手段２４は、演奏時に、映像ＤＢ５２より抽出された背景映像及び楽曲ＤＢ５１より抽出された楽曲の歌詞データを表示部１３に出力するプログラム乃至電子回路である。上記音楽演奏制御部２５は、例えばシーケンスプログラムを備え、楽曲コードで楽曲ＤＢ５１より抽出された音符データに従って音源（シンセサイザ）２６を駆動するもので、当該音源２６の出力は演奏信号としてミキシングアンプ１４に出力される。
【００２３】
上記送受信部２７Ａは、遠隔入出力端末１７との間で有線方式ないし無線方式（ＩＲ方式やブルートゥース（登録商標）機構のピコネット接続方式など）を利用してデータ授受を行うためのもので、そのための電子回路及びプログラムである。上記送受信部２７Ｂは、インターネットなどの通信ネットワーク６１を介してカラオケ本体１２と配信サーバ６２及び歌唱動画サーバ６３とがデータ授受を行うための物理的な通信用回路やプラットフォーム等のソフトウエアにより構成されるものである。
【００２４】
上記配信サーバ６２は、楽曲データ、各利用者情報、背景映像データ、その他カラオケ装置に関するデータを格納するデータベースを備えている。また、上記歌唱動画サーバ６３は、各カラオケ装置１１より直接に歌唱動画データをアップロードして保存し、本人のみの閲覧、ネット上への公開（第三者への閲覧）などのサービスを提供するネットサイトである。なお、配信サーバ６２と歌唱動画サーバ６３とを一のサーバとしてもよい。
【００２５】
上記採点手段２８は、楽曲歌唱に対して楽曲の所定の歌唱区間毎に歌唱音声を分析して採点するもので、マイク１５からの音声信号がミキシングアンプ１４をスルーしてＡ／Ｄ変換部２９でデジタル変換された音声信号に対して楽曲データに含まれる歌唱採点するためのリファレンスデータに基づいて当該楽曲の歌唱区間毎に採点処理を行うプログラムである。具体的には、例えば特許第４２２２９１５号公報に記載されている手法を用いることができる。
【００２６】
ここでは基本となる分析や採点は、例えば１０数ｍｓｅｃから数１０ｍｓｅｃの長さの歌唱音声波形を一つの単位（以下、微小区間と呼ぶ）として行われる。一方、歌唱区間とは、例えば４小節、８小節といった長さの区間であり、任意の歌唱区間の採点処理では、当該歌唱区間に含まれる全ての微小区間の採点結果を総合した採点値を求めるものとする。より具体的には、歌唱採点値として、それらの微小区間の採点結果の加算値あるいは平均値などを求める。そして採点手段２８で処理された歌唱区間毎の採点値を含む採点値は、ＲＡＭ２３に採点データ４３として歌唱楽曲に関連付けられて記憶される。
【００２７】
上記記憶部３０に記憶されている楽曲ＤＢ５１は、楽曲毎に、音符データ、歌詞データ、歌唱採点のためのリファレンスデータなどを格納する。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）等で構成される楽曲データ（ファイル）について楽曲コードをファイル名としてそれぞれ格納したデータベースであり、映像ＤＢ５２に格納された当該楽曲毎の背景映像を表示するための歌唱区間毎にシーン映像を割り当てる割当データが関連付けられる。上記記憶部３０に記憶されている映像ＤＢ５２は、楽曲毎に応じた背景映像データについて楽曲コードをファイル名とし、背景映像表示のための歌唱区間に対応したシーン映像データを所定数格納したデータベースである。
【００２８】
上記歌唱映像取得手段３１は、動画撮影カメラ１８より出力される歌唱映像データを取得し、ＲＡＭ２３に歌唱映像データ４２として記憶するプログラムである。
【００２９】
上記編集手段３２は、歌唱映像取得手段３１が取得してＲＡＭ２３に記憶された歌唱映像データを、楽曲の歌唱区間毎に、採点手段２８で採点されてＲＡＭ２３に記憶された採点データ４３の当該歌唱区間毎の採点値に応じて歌唱者を対応倍率で編集して歌唱動画を作成するプログラムである。具体的には、図２（Ａ）に示すように、顔領域認識手段７１、ズーム処理手段７２及びズームテーブル７３を備える。
【００３０】
なお、この実施例では、歌唱後に当該編集手段３２による編集処理を開始するものとするが、歌唱中に歌唱区間の採点結果が出た時点でのいわゆる追っかけによる処理としてもよい。
【００３１】
上記顔領域認識手段７１は、歌唱映像データにおいて歌唱者の顔領域を認識するプログラムであり、従前より知られているプログラムを使用可能である。上記ズーム処理手段７２は、楽曲の歌唱区間毎に、取得した歌唱区間毎の採点値に応じてズームテーブル７３に基づき歌唱者の認識された顔領域を対応倍率で編集して最終的な歌唱動画を作成するプログラムであり、従前より知られているプログラムを使用可能である。
【００３２】
上記ズームテーブル７３は、採点値とズーム率が関連付けられたもので、一例として図２（Ｂ）、（Ｃ）に示される。図２（Ｂ）は、採点値Ｓに対して９５点以上を最高倍率３倍とし、５０点以上を等倍として順次所定範囲毎に倍率を定め、さらに５０点未満を歌唱楽曲で表示される背景映像のうち、当該歌唱区間に対応したシーン映像（ＢＧＲ）としたものである。また、図２（Ｃ）は、歌唱区間の採点値が高いほど高倍率とするもので、例えば各歌唱区間における最高採点値を特定し、例え最高採点値が８９点であっても最高倍率３倍とし、これを基準に順次差分範囲毎に倍率を定め、さらに最高採点値との差が例えば２０点を超えた場合を歌唱楽曲で表示される背景映像のうち、当該歌唱区間に対応したシーン映像（ＢＧＲ）としている。
【００３３】
編集手段３２は、上記ＢＧＲを編集の置き換え対象とするときには、記憶部３０に記憶されている映像ＤＢ５２より当該楽曲の背景映像データを取得し、対応歌唱区間のシーン映像を特定することとなる。ここでは、図２（Ｂ）のズームテーブル７３として説明する。
【００３４】
上記顔領域認識手段７１のプログラム及びズーム処理手段７２のプログラムを備える編集手段３２のプログラムがカラオケ歌唱映像データ編集プログラムとなる。この場合、ズームテーブル７３のデータをカラオケ歌唱映像データ編集プログラム中に含ませることとしてもよく、別に記憶領域に記憶されて読み出して参照することとしてもよい。
【００３５】
図１に戻り、上記歌唱動画再生手段３３は、編集手段３２で編集されたＲＡＭ２３に記憶された編集動画データ４４を、利用者の指示に従って再生するプログラムである（図６参照）。
【００３６】
ここで、図３に、図１の楽曲選曲の説明図を示す。図３（Ａ）は、遠隔入出力端末１７の楽曲選曲に際しての画面を一例として示したもので、曲名などの他に歌唱撮影について通常撮影か、ズームアップ編集かを選択する項目が設けられる。
【００３７】
カラオケ本体１２では、送受信部２７Ａを介して遠隔入出力端末１７からの選曲信号を受信することにより、図３（Ｂ）に示すように、ＲＡＭ２３の予約待ち行列４１に楽曲ＩＤ等を順番に記憶する。この場合、楽曲の選曲時に、通常撮影か、ズームアップ編集かの選択に対してフラグが付帯されるものである。
【００３８】
そこで、図４に図１の編集手段における動画編集処理の説明図を示すと共に、図５に、図１の編集手段における動画編集処理のフローチャートを示す。まず、編集手段３２は、利用者の歌唱後に、ＲＡＭ２３より歌唱区間毎の採点データ（歌唱採点値）４３を取得すると共に、動画撮影カメラ１８で撮影されて歌唱映像取得手段３１が取得してＲＡＭ２３に記憶された歌唱映像データ４２を取得する（図５のステップＳ１（Ｓ１））。
【００３９】
取得した歌唱映像データは、図４（Ａ）に示すような映像データであり、これを等倍としている。そこで、顔領域認識手段７１は、当該取得した歌唱映像データから歌唱者の顔領域８１を認識する（Ｓ２）。そして、楽曲の歌唱区間毎に、取得した採点データの歌唱区間毎の採点値に応じて図２（Ｂ）に示すズームテーブル７３に基づき歌唱者の認識された顔領域８１を対応倍率で編集して歌唱動画を作成する（Ｓ３）。
【００４０】
図４（Ｂ）に示すように、取得した採点データの各歌唱区間の採点値に応じて、例えば、７９点の区間１では等倍の映像シーンとし、８５点の区間２ではズーム率２倍の映像シーンとし、８４点の区間３ではズーム率１．５倍の映像シーンとし、９４点の区間９ではズーム率２．５倍の映像シーンとし、９８点の区間１０ではズーム率が最高の３倍の映像シーンとする。そして、総ての歌唱区間での映像シーンを決定して全体としての編集動画データを作成するものである。
【００４１】
また、５０点未満の歌唱区間であれば、当該楽曲の当該歌唱区間に対応する背景映像データを映像ＤＢ５２より読み出し、その歌唱区間の映像シーンとして置き換えるものである。なお、各歌唱区間の映像シーンを、いきなり対応倍率とせずに、前段階の歌唱区間の映像シーンより対応倍率までズームアップ若しくはズームダウンさせた映像シーンとしてもよいものである。
【００４２】
続いて、図６に、作成した編集動画の提供に関する表示説明図を示す。図６において、楽曲の歌唱が終了し、編集手段３２による編集動画が作成されると、図６（Ａ）に示すように、歌唱動画再生手段３３が、歌唱者に歌唱確認で当該編集動画を再生するか否かを選択させる表示を例えば遠隔入出力装置１７（カラオケ本体１２に接続された表示部１３でもよい）に表示させる。
【００４３】
歌唱者が再生を選択すると、図６（Ｂ）に示すように、編集手段３２で編集した編集動画を再生する。再生が終了すると、図６（Ｃ）に示すように、これを歌唱動画サーバ６３に保存するか否かを選択させる表示を行う。「保存しない」が選択された場合には終了し、作成した編集動画は消去される。一方、「保存する」が選択されると、図６（Ｄ）に示すように、保存された編集動画をネット上で公開するか否かを選択させる表示を行う。
【００４４】
「公開しない」が選択されると、当該利用者のみが閲覧可能とした条件設定で当該編集動画を利用者及び歌唱楽曲（楽曲ＩＤ）に関連付けて当該カラオケ装置１１より歌唱動画サーバ６３に送信して保存させる。一方、「公開する」が選択されると、第三者に公開することの条件設定で当該編集動画を利用者及び歌唱楽曲（楽曲ＩＤ）に関連付けて当該カラオケ装置１１より歌唱動画サーバ６３に送信して保存させるものである。
【００４５】
ところで、上記カラオケ歌唱映像データ編集プログラムを構成する編集手段３２を歌唱動画サーバ６３や配信サーバ６２に備えさせることとしてもよい。この場合、カラオケ装置１１よりＲＡＭ２３に記憶されている歌唱映像データ及び採点データを取得して編集動画データを作成し、上記ＢＧＲを使用する場合には、カラオケ装置１１の備える映像ＤＢ５２と同じ映像ＤＢを備えさせることとしてもよく、また、カラオケ装置１１より歌唱映像データ及び採点データと共に当該楽曲の背景映像データを取得することとしてもよいものである。
【００４６】
また、上記採点値が所定値より低かった場合に、上記ＢＧＲのシーン映像を使用するのではなく、低い点数に応じて当該歌唱映像データのシーン映像を等倍より縮小させることとしてもよい。さらに、本実施形態においては、ズームテーブル７３を予め１種類のみ用意するような構成としたが、複数種類のズームテーブルを用意し、ズームテーブル選択手段を遠隔入出力装置１７等に設けて歌唱者に選択させるような構成としてもよい。あるいは、遠隔入出力装置１７等にズームテーブル設定入力手段を設け、歌唱者が採点値と倍率との対応付けを自由に設定でき、その設定情報を歌唱者ＩＤと共に配信サーバに記憶していつでも呼び出せるような構成としてもよい。
【００４７】
このように、ズーム処理編集を行うことから動画撮影カメラ１８を歌唱ステージの全体を写せるように設定するだけでよく、カラオケ利用者の歌唱撮影のカメラ設定を簡易化することができると共に、上手く歌唱できた時のいい表情はズームアップし、ミスした時の「しまった」という表情は別映像に差し替えるなど、ズーム処理による高度に編集した歌唱動画の映像をウェブサーバ（歌唱動画サーバ６３）に投稿させることができ、利用者の満足度を向上させることができるものである。
【産業上の利用可能性】
【００４８】
本発明のカラオケ装置は、歌唱者の歌唱映像を撮像する手段を備える装置の製造、使用の産業に利用可能である。
【符号の説明】
【００４９】
１１            カラオケ装置
１２            カラオケ本体
１７            遠隔入出力装置
１８            動画撮影カメラ
２８            採点手段
３１            歌唱映像取得手段
３２            編集手段
３３            歌唱動画再生手段
６３            歌唱動画サーバ
７１            顔領域認識手段
７２            ズーム処理手段
７３            ズームテーブル
８１            顔領域
【図１】
2015155973.tif 000003
【図２】
2015155973.tif 000004
【図３】
2015155973.tif 000005
【図４】
2015155973.tif 000006
【図５】
2015155973.tif 000007
【図６】
2015155973.tif 000008